(57)【要約】【課題】より簡単にメモの記入を行えるメモ帳ホルダーを提供する。【解決手段】メモ帳５０の表表紙及び裏表紙を覆うシート体１１において、ノートの一方の表紙５２ａの端部の近にストラップ取付部５を設け、そのストラップ取付部５に取り付けられたストラップ１２により、メモ帳カバー１０のシート体１１に収容されたメモ帳５０を吊り下げられるようにした。【選択図】図８
2014230573.tif 000002
【特許請求の範囲】
【請求項１】
下地となるシート体と、
前記シート体の第１の屈曲部を境にして一方の側に形成され、メモ帳を見開いたときの一方の側を収容する第１の袋部と、
前記シート体の第１の屈曲部を境にして他方の側に形成され、前記メモ帳を見開いたときの他方の側を収容する第２の袋部と、
前記第２の袋部の前記第１の屈曲部と反対側の端部に隣接して形成され、前記第１の屈曲部と同じ向きに折り曲げられた第２の屈曲部と、
前記第２の屈曲部を挟んで前記第２の袋部と反対側に形成された蓋部と、
前記第２の屈曲部の上に形成されたストラップ取付部と、
前記ストラップ取付部に取り付けられたストラップと、
前記第１の袋部に設けられた第１の止め具と、
前記第１の止め具に対応する部分の前記蓋部に設けられた第２の止め具と、
を備えることを特徴とするメモ帳ホルダー。
【請求項２】
前記ストラップ取付部は、前記第２の屈曲部に沿って形成されていることを特徴とする請求項１に記載のメモ帳ホルダー。
【請求項３】
前記止め具は、面ファスナー、ボタン、粘着テープ及び磁石のいずれかよりなることを特徴とする請求項１又は請求項２に記載のメモ帳ホルダー。
【請求項４】
さらに前記第１の袋部又は前記第２の袋部には筆記具を収容する筆記具ホルダーが形成されていることを特徴とする請求項１乃至請求項３の何れか１項に記載のメモ帳ホルダー。
【請求項５】
下地となるシート体と、
前記シート体の第１の屈曲部を境にして一方の側に形成され、メモ帳を見開いたときの一方の側を収容する第１の袋部と、
前記シート体の第１の屈曲部を境にして他方の側に形成され、前記メモ帳を見開いたときの他方の側を収容する第２の袋部と、
前記第２の袋部の前記第１の屈曲部と反対側の端部に隣接して形成されたストラップ取付部と、
前記ストラップ取付部に取り付けられたストラップと、
を備えることを特徴とするメモ帳ホルダー。
【発明の詳細な説明】
【技術分野】
【０００１】
本発明は、メモ帳や手帳等に装着されるメモ帳ホルダーに関する。
【背景技術】
【０００２】
従来より、メモを取る際の便宜のために、メモ帳や手帳等の小型のメモ帳にストラップを取り付けて首などから吊り下げて身につけて持ち運ぶためのメモ用品が提案されている。
【０００３】
このようなストラップ付きのメモ用品としては、例えばメモ帳等にあけた穴にストラップを取り付けたものや、メモ帳の綴じ具にストラップを取り付けたものが知られている。
【０００４】
また、メモ帳をメモ帳カバーに収納した上で、メモ帳カバーに設けられた金具にストラップを取り付けたものも提案されている。
【先行技術文献】
【特許文献】
【０００５】
【特許文献１】特開２０１１−１２６２０５号公報
【特許文献２】特開２００９−９５３９７号公報
【特許文献３】実用新案登録第３１８１５９２号公報
【特許文献４】実用新案登録第３１６０１１７号公報
【発明の概要】
【発明が解決しようとする課題】
【０００６】
従来のストラップ付きのメモ帳やメモ帳カバーではメモ帳の綴じ込み部分にストラップが取り付けられている。メモ帳に記入を行う場合には、メモ用紙を使用者側に向け、メモ帳の綴じ込み部分を使用者から離間する方向に向ける必要がある。この場合において、ストラップを首などから吊り下げるのに適した長さとすると、メモをとる際にストラップが突っ張った不自然な状態となり、メモを取りにくくなるという問題がある。
【０００７】
このようなストラップの突っ張りを解消するために、ストラップの長さを変えたり、ストラップを首から外すなどする必要があり、取り扱いが煩雑となる。
【０００８】
また、ストラップが突っ張らないようにするために、メモ帳の綴込部分を手前に向けて記入すると、本来の筆記方向と逆方向に記入が行われるため、ページめくりがぎこちなくなるとともに、めくった頁の間で記入方向が不連続となり、後で内容の確認を行いにくくなる。
【０００９】
そこで、本発明は、より簡単にメモの記入を行えるメモ帳ホルダーを提供することを目的とする。
【課題を解決するための手段】
【００１０】
本発明の一観点によれば、下地となるシート体と、前記シート体の第１の屈曲部を境にして一方の側に形成され、メモ帳を見開いたときの一方の側を収容する第１の袋部と、前記シート体の第１の屈曲部を境にして他方の側に形成され、前記メモ帳を見開いたときの他方の側を収容する第２の袋部と、前記第２の袋部の前記第１の屈曲部と反対側の端部に隣接して形成され、前記第１の屈曲部と同じ向きに折り曲げられた第２の屈曲部と、前記第２の屈曲部を挟んで前記第２の袋部と反対側に形成された蓋部と、前記第２の屈曲部の上に形成されたストラップ取付部と、前記ストラップ取付部に取り付けられたストラップと、前記第１の袋部に設けられた第１の止め具と、前記第１の止め具に対応する部分の前記蓋部に設けられた第２の止め具と、を備えるメモ帳ホルダーが提供される。
【００１１】
また、別の一観点によれば、下地となるシート体と、前記シート体の第１の屈曲部を境にして一方の側に形成され、メモ帳を見開いたときの一方の側を収容する第１の袋部と、前記シート体の第１の屈曲部を境にして他方の側に形成され、前記メモ帳を見開いたときの他方の側を収容する第２の袋部と、前記第２の袋部の前記第１の屈曲部と反対側の端部に隣接して形成されたストラップ取付部と、前記ストラップ取付部に取り付けられたストラップと、を備えるメモ帳ホルダーが提供される。
【発明の効果】
【００１２】
上記観点のメモ帳ホルダーによれば、メモ帳の綴じ込み部分ではなく、メモ帳を見開いたときの端部付近にストラップが取り付けられている。
【００１３】
これにより、メモをとるためにメモ帳の綴じ込み部分を身体から離間させてメモ帳を開いた場合であっても、ストラップが突っ張ることがない。そのため、メモをとる際に、ストラップの長さを変えたり、ストラップを首から外す必要がなく、容易にメモをとることができる。
【００１４】
また、メモ帳が縦開きとなり、メモ帳の綴じ込みの部分が使用者から見て外側（上側）になるため、ページめくりが容易であるとともに、メモ帳本来の記入方向で記入を行えるため、各紙面での記入内容の連続性も保たれる。
【図面の簡単な説明】
【００１５】
【図１】図１は、実施形態に係るメモ帳ホルダーの斜視図である。
【図２】図２は、実施形態に係るメモ帳ホルダーの内側を示す平面図である。
【図３】図３は、実施形態に係るメモ帳ホルダーの外側を示す平面図である。
【図４】図４は、図２、図３に示すメモ帳ホルダーのＡＡ部分での断面図である。
【図５】図５は、実施形態に係るメモ帳ホルダーの使用時の形態を示す斜視図である。
【図６】図６は、実施形態に係るメモ帳ホルダーを吊り下げた状態を示す図である。
【図７】図７は、実施形態に係るメモ帳ホルダーを開く動作を説明する斜視図である。
【図８】図８は、実施形態に係るメモ帳ホルダーを開いた状態を示す図である。
【図９】図９は、実施形態の変形例に係るメモ帳ホルダーを示す図である。
【発明を実施するための形態】
【００１６】
図１は、実施形態に係るメモ帳ホルダーの斜視図である。
【００１７】
図１に示すように、実施形態に係るメモ帳ホルダー１０は、メモ帳５０を覆うシート体１１と、シート体１１に取り付けられたストラップ１２とを備えている。
【００１８】
シート体１１は、柔軟な樹脂シートよりなり、メモ帳５０にそって、第１の屈曲部１１ｄ及び第２の屈曲部１１ｅにより折り曲げられる。シート体１１ｅの第２の屈曲部１１ｅ側の端部付近に蓋部１１ｃが形成されており、この蓋部１１ｃがシート体１１の他方の端部側の上に重ね合わされて後述する止め具で固定される。
【００１９】
また、ストラップ１２は、第２の屈曲部１１ｅ付近でシート体１１に取り付けられている。
【００２０】
以下、シート体１１の構造について更に説明する。
【００２１】
図２は、メモ帳ホルダー１０のシート体１１の内側を広げた状態で示す図であり、図３は同じくシート体１１の外側を広げた状態で示す図である。また、図４は、図２及び図３に示すシート体１１のＡＡ部分での断面図である。
【００２２】
図２に示すように、シート体１１の一方の端部１ａ側には、第１の袋部１１ａが設けられている。この第１の袋部１１ａには、シート体１１の内側において樹脂シートを融着部４ａで融着して形成されたポケット４が形成されており、第１の袋部１１ａは、そのポケット４においてメモ帳の一方の表紙を保持する。
【００２３】
また、シート体１１には、第１の袋部１１ａに隣接して第１の屈曲部１１ｄが形成されており、その第１の屈曲部１１ｄを境にして他方の側に第２の袋部１１ｂが設けられている。第２の袋部１１ｂには、樹脂シートを融着部６ａで融着して形成されたポケット３が形成されており、第２の袋部１１ｂはポケット３においてメモ帳の他方の表紙を保持する。
【００２４】
シート体１１は、さらに第２の袋部１１ｂの第１の屈曲部１１ｄと反対側の端部側から伸び出た部分を有しており、その部分に蓋部１１ｃが形成されている。その蓋部１１ｃには、例えば面ファスナーよりなる止め具１４が設けられている。
【００２５】
また、蓋部１１ｃと第２の袋部１１ｂとの間に第２の屈曲部１１ｅがあり、この第２の屈曲部１１ｅが第１の屈曲部１１ｄと同じ方向に屈曲することで、蓋部１１ｃが第１の袋部１１ａと第２の袋部１１ｂとが重なる部分を上から覆うことができる。これにより収容されたメモ帳の汚れを防止できる。
【００２６】
さらに、第２の屈曲部１１ｅの上にストラップ取付部５が設けられている。
【００２７】
図４に示すように、ストラップ取付部５は、樹脂シートを融着部６ｂでシート体１１に融着して形成され、シート体１１と樹脂シートとの隙間にストラップ１２を通すことでストラップ１２がシート体１１に取り付けられる。
【００２８】
なお、図示のようにストラップ取付部５とそれに隣接するポケット３とを一枚の樹脂シートで一体的に形成してもよい。
【００２９】
図３及び図４に示すように、シート体１１の外側には、透明な樹脂シートを融着部２ａでシート体１１に融着してなるポケット２が設けられている。
【００３０】
ポケット２には、例えば身分証明書や定期券などの薄手の物品や、装飾用の表紙を入れることができる。
【００３１】
また、シート体１１の第１の袋部１１ａ側の一端付近には、例えば面ファスナーよりなる止め具１３が設けられている。なお、止め具１３及び止め具１４（図２参照）は面ファスナーに限定されるものではなく、ボタン、粘着テープ、クリップ及び永久磁石などを用いても良い。
【００３２】
図５は、メモ帳ホルダー１０の使用時の一形態を示す斜視図である。
【００３３】
図５に示すように、メモ帳ホルダー１０は、第１の袋部１１ａと第２の袋部１１ｂとの間の第１の屈曲部１１ｄで屈曲可能となっている。
【００３４】
メモ帳は、以下のようにしてメモ帳ホルダー１０に収容される。
【００３５】
まず、第１の袋部１１ａにメモ帳の一方の表紙を収容し、第２の袋部１１ｂにメモ帳の他方の表紙を収容する。その後、第１の屈曲部１１ａと第２の屈曲部１１ｂとが重なるように屈曲部１１ｄを折り曲げる。そして、第１の屈曲部１１ａの上に蓋部１１ｃを重ね合わせた上で止め具１３、１４で蓋部１１ｃと第１の屈曲部１１ａとを固定する。
【００３６】
これにより図１に示すように、メモ帳５０を閉じた状態で保持できる。
【００３７】
図６は、メモ帳ホルダー１０を使用者の首から吊り下げた状態を示す図である。
【００３８】
図６に示すように、本実施形態のメモ帳ホルダー１０はストラップ１２を用いて使用者の首から下げて使用すると好適である。
【００３９】
以下、図６に示す態様でのメモ帳ホルダー１０の使用例について説明する。
【００４０】
図７は、メモ帳ホルダー１０を開く動作を説明する斜視図であり、図８はメモ帳ホルダー１０を開いて持ち上げた状態を示す図である。
【００４１】
図７において、メモ帳ホルダー１０は、シート体１１の第２の袋部１１ｂが使用者側に配置されているものとする。
【００４２】
メモ帳ホルダー１０の蓋部１１ｃを外側に持ち上げることで、止め具１３、１４（図５参照）を取り外すことができる。止め具１３、１４が取り外されると、シート体１１及びメモ帳５０の自重によって、第１の袋部１１ａ及びメモ用紙５３が図７の矢印のように開く。
【００４３】
その結果、メモ帳５０の表紙５２ａが上側となり、表紙５２ｂが下側となって開いた状態となる。このとき、メモ帳５０は首にぶら下がった状態になっているので、両手を自由に使うことができ、筆記具の取り出し等が容易に行える。そのため、素早くメモをとる準備を行える。
【００４４】
また、メモ帳ホルダー１０の第１の袋部１１ａの部分を、メモ帳５０が略水平になるようにして持つと、図８に示すように、使用者から見てメモ帳５０が縦開きに開かれた状態となる。
【００４５】
この場合には、ストラップ取付部５の位置が、使用者側となるため、ストラップ１２が突っ張ることがない。これにより、ストラップ１２の長さを変えたり、ストラップ１２を首から外すことなく容易にメモをとることができる。
【００４６】
また、メモ帳のページめくりも容易になるとともに、メモ帳本来の筆記方向での記入が行えるため、複数の紙面にわたってメモを記入した場合であっても、記入方向の連続性が保たれ、後にメモを確認するのに好適である。
【００４７】
さらに、メモ帳ホルダー１０の第１の屈曲部１１ｄの屈曲方向がメモ帳ホルダー１０を持つ手と同じ方向に曲がるため、手に収まりが良く、片手で第１の袋部１１ａと第２の袋部１１ｂとをしっかりと支持できるため、メモをとることが容易になる。
【００４８】
加えて、メモ帳ホルダー１０は、第１の屈曲部１１ｄを折り曲げることで、メモ帳をコンパクトに収容できるため、メモ帳を常時身につけて使用するのに好適である。
【００４９】
なお、幅が７ｃｍ程度、長さが１２ｃｍ程度のメモ用紙を収めたメモ帳を用いた試作品で確認した。このとき、メモ帳ホルダーが使用者のみぞおち付近に位置するように、ストラップ１２の長さを約７０ｃｍ（首からの長さが約３５ｃｍ）とした。
【００５０】
その結果、メモ帳を使用者の身体から１０〜２０ｃｍ程度に離間して縦開きに開いたときに、ストラップの突っ張りを防止できることが確認できた。
【００５１】
（その他の変形例）
なお、以上に説明したメモ帳ホルダー１０は、本実施形態の一態様であり、本実施形態はこれに限定されるものではない。
【００５２】
上記の説明では、メモ帳ホルダー１０とメモ帳５０と取り外し可能にとしていたが、これに限定されるものではなく、メモ帳５０とメモ帳ホルダー１０を一体的に形成してもよい。
【００５３】
また、メモ帳ホルダー１０のシート体１１には、必ずしも蓋部１１ｃを設ける必要はなく、第１の袋部１１ａと第２の袋部１１ｂとに例えばボタン等の止め具を設け、第１の袋部１１ａと第２の袋部１１ｂとを止め具で固定するようにしてもよい。
【００５４】
また、図９に示すように、メモ帳ホルダー１０のシート体１１の各所に、ペンホルダー１９を取り付けることで、筆記具を装着可能にしても良い。
【符号の説明】
【００５５】
１ａ、１ｂ…端部、２、３、４…ポケット、２ａ、４ａ、６ａ、６ｂ…融着部、５…ストラップ取付部、１０…メモ帳ホルダー、１１…シート体、１１ａ…第１の袋部、１１ｂ…第２の袋部、１１ｃ…蓋部、１１ｄ…第１の屈曲部、１１ｅ…第２の屈曲部、１２…ストラップ、１３、１４…止め具、１９…ペンホルダー、５０…メモ帳、５２ａ、５２ｂ…表紙、５３…メモ用紙。
【図１】
2014230573.tif 000003
【図２】
2014230573.tif 000004
【図３】
2014230573.tif 000005
【図４】
2014230573.tif 000006
【図５】
2014230573.tif 000007
【図６】
2014230573.tif 000008
【図７】
2014230573.tif 000009
【図８】
2014230573.tif 000010
【図９】
2014230573.tif 000011